【手続補正書】
【提出日】平成18年3月23日(2006.3.23)
【手続補正１】
【補正対象書類名】明細書
【補正対象項目名】請求項１
【補正方法】変更
【補正の内容】
【請求項１】  画像データに所定の画像処理を施す画像処理装置と、該画像処理の結果に基づいてドットを形成することにより画像を表示する画像表示装置と、を備える画像表示システムであって、
前記画像処理装置は、
前記画像データを構成する複数の画素を、複数個ずつまとめて画素群を生成する画素群生成手段と、
前記画素群内の画素間で前記画像データの階調差が所定値以上の場合に、該画素群はエッジを含むと判断するエッジ有無判断手段と、
前記エッジを含まないと判断された画素群について、該画素群内に形成されるドットの個数を、前記画素群内の画像データに基づいて決定するドット個数決定手段と、
前記エッジを含むと判断された画素群について、該画素群内の画素毎にドット形成の有無を該画素の画像データに基づいて判断することにより、各画素についてのドット形成有無を表すドットデータを生成するドットデータ生成手段と、
前記エッジを含まないと判断された画素群についての前記ドット個数のデータと、前記エッジを含むと判断された画素群についての前記ドットデータとを、前記画像表示装置に出力する個数データ出力手段と
を備えており、
前記画像表示装置は、
前記画素群を構成する画素間でのドットの形成され易さを示す序列を複数記憶している序列記憶手段と、
前記ドット個数のデータと前記ドットデータとを受け取る個数データ受取手段と、
前記記憶されている複数の序列の中から、前記ドット個数のデータを受け取った画素群毎に１の序列を選択する序列選択手段と、
前記ドット個数のデータと前記選択した序列とに基づいて、または、前記ドットデータに基づいて、前記画素群内でドットが形成される画素位置を該画素群毎に決定する画素位置決定手段と
前記決定した画素位置にドットを形成するドット形成手段と
を備える
画像表示システム。
【手続補正２】
【補正対象書類名】明細書
【補正対象項目名】請求項２
【補正方法】変更
【補正の内容】
【請求項２】  請求項１記載の画像表示システムであって、
前記個数データ出力手段は、前記ドット個数のデータと前記ドットデータとが前記画素群の並びに従って配列されているとともに、該ドットデータと該データに先立つデータとの間に、該画素群を構成する画素数より大きな値のデータが挿入された状態で、該ドット個数のデータおよび該ドットデータを前記画像表示装置に出力する手段であり、
前記個数データ受取手段は、前記ドット個数のデータおよび前記ドットデータを、前記ドット個数のデータが前記画素群を構成する画素数よりも大きい場合には、該データはドット個数ではなく、続くデータが前記ドットデータであることを示すものと解釈しながら受け取る手段である
画像表示システム。
【手続補正３】
【補正対象書類名】明細書
【補正対象項目名】請求項４
【補正方法】変更
【補正の内容】
【請求項４】  所定の画像処理が施された画像データを受け取って、該画像データに基づいてドットを形成することにより画像を表示する画像表示装置であって、
前記画像データを構成する複数の画素を複数個ずつまとめた各画素群について、該画素群内に形成すべきドットの個数のデータ、または該画素群内の画素毎にドット形成の有無を表したドットデータを、前記画像データとして受け取る画像データ受取手段と、
前記画素群を構成する画素間でのドットの形成され易さを示す序列を複数記憶している序列記憶手段と、
前記記憶されている複数の序列の中から、前記ドット個数のデータを受け取った画素群毎に１の序列を選択する序列選択手段と、
前記ドット個数のデータと前記選択した序列とに基づいて、または、前記ドットデータに基づいて、前記画素群内でドットが形成される画素位置を該画素群毎に決定する画素位置決定手段と
前記決定した画素位置にドットを形成するドット形成手段と
を備える画像表示装置。
【手続補正４】
【補正対象書類名】明細書
【補正対象項目名】請求項６
【補正方法】変更
【補正の内容】
【請求項６】  ドットを形成して画像を表示する画像表示装置が該ドットの形成を制御するために用いる制御データを、該画像を表す画像データに所定の画像処理を施して生成する画像処理装置であって、
前記画像データを構成する複数の画素を、複数個ずつまとめて画素群を生成する画素群生成手段と、
前記画素群内の画素間で前記画像データの階調差が所定値以上の場合に、該画素群はエッジを含むと判断するエッジ有無判断手段と、
前記エッジを含まないと判断された画素群について、該画素群内に形成されるドットの個数を、前記画素群内の画像データに基づいて決定するドット個数決定手段と、
前記エッジを含むと判断された画素群について、該画素群内の画素毎にドット形成の有無を該画素の画像データに基づいて判断することにより、各画素についてのドット形成有無を表すドットデータを生成するドットデータ生成手段と、
前記エッジを含まないと判断された画素群についての前記ドット個数のデータと、前記エッジを含むと判断された画素群についての前記ドットデータとを、前記制御データとして前記画像表示装置に出力する制御データ出力手段と
を備える画像処理装置。
【手続補正５】
【補正対象書類名】明細書
【補正対象項目名】請求項８
【補正方法】変更
【補正の内容】
【請求項８】  画像データに所定の画像処理を施して、得られた結果に基づきドットを形成することによって、画像を表示する画像表示制御方法であって、
前記画像を構成する複数の画素を、複数個ずつまとめて画素群を生成する第１の工程と、
前記画素群内の画素間で前記画像データの階調差が所定値以上の場合に、該画素群はエッジを含むと判断する第２の工程と、
前記エッジを含まないと判断された画素群について、該画素群内に形成されるドットの個数を、前記画素群内の画像データに基づいて決定する第３の工程と、
前記エッジを含むと判断された画素群について、該画素群内の画素毎にドット形成の有無を該画素の画像データに基づいて判断することにより、各画素についてのドット形成有無を表すドットデータを生成する第４の工程と、
前記画素群を構成する画素間でのドットの形成され易さを示す序列が複数記憶されている中から、前記ドット個数が決定された画素群毎に１の序列を選択する第５の工程と、
前記ドット個数のデータと前記選択した序列とに基づいて、または、前記ドットデータに基づいて、前記画素群内でドットが形成される画素位置を該画素群毎に決定する第６の工程と、
前記決定した画素位置にドットを形成する第７の工程と
を備える画像表示制御方法。
【手続補正６】
【補正対象書類名】明細書
【補正対象項目名】請求項９
【補正方法】変更
【補正の内容】
【請求項９】  請求項８記載の画像表示制御方法であって、
前記ドット個数のデータと前記ドットデータとを前記画素群の並びに従って配列するとともに、該ドットデータと該データに先立つデータとの間に、該画素群を構成する画素数より大きな値のデータを挿入した状態で、前記第５の工程に供給する第８の工程を備えるとともに、
前記第５の工程は、前記ドット個数のデータが前記画素群を構成する画素数よりも大きい場合には、該データはドット個数ではなく、続くデータが前記ドットデータであることを示していると解釈する第９の工程を更に備えている
画像表示制御方法。
【手続補正７】
【補正対象書類名】明細書
【補正対象項目名】請求項１０
【補正方法】変更
【補正の内容】
【請求項１０】  所定の画像処理が施された画像データを受け取って、該画像データに基づいてドットを形成することにより画像を表示する画像表示方法であって、
前記画像データを構成する複数の画素を複数個ずつまとめた各画素群について、該画素群内に形成すべきドットの個数のデータ、または、該画素群内の画素毎にドット形成の有無を表したドットデータを、前記画像データとして受け取る工程（Ａ）と、
記画素群を構成する画素間でのドットの形成され易さを示す序列が複数記憶されている中から、前記ドット個数のデータを受け取った画素群毎に１の序列を選択する工程（Ｂ）と、
前記ドット個数のデータと前記選択した序列とに基づいて、または、前記ドットデータに基づいて、前記画素群内でドットが形成される画素位置を該画素群毎に決定する工程（Ｃ）と、
前記決定した画素位置にドットを形成する工程（Ｄ）と
を備える画像表示方法。
【手続補正８】
【補正対象書類名】明細書
【補正対象項目名】請求項１１
【補正方法】変更
【補正の内容】
【請求項１１】  ドットを形成して画像を表示する画像表示装置が該ドットの形成を制御するために用いる制御データを、該画像を表す画像データに所定の画像処理を施して生成する画像処理方法であって、
前記画像データを構成する複数の画素を、複数個ずつまとめて画素群を生成する工程（イ）と、
前記画素群内の画素間で前記画像データの階調差が所定値以上の場合に、該画素群はエッジを含むと判断する工程（ロ）と、
前記エッジを含まないと判断された画素群について、該画素群内に形成されるドットの個数を、前記画素群内の画像データに基づいて決定する工程（ハ）と、
前記エッジを含むと判断された画素群について、該画素群内の画素毎にドット形成の有無を該画素の画像データに基づいて判断することにより、各画素についてのドット形成有無を表すドットデータを生成する工程（ニ）と、
前記エッジを含まないと判断された画素群についての前記ドット個数のデータと、前記エッジを含むと判断された画素群についての前記ドットデータとを、前記制御データとして前記画像表示装置に出力する工程（ホ）と
を備える画像処理方法。
【手続補正９】
【補正対象書類名】明細書
【補正対象項目名】請求項１２
【補正方法】変更
【補正の内容】
【請求項１２】  画像データに所定の画像処理を施して、得られた結果に基づきドットを形成することによって、画像の表示を制御するためのプログラムであって、
前記画像データを構成する複数の画素を、複数個ずつまとめて画素群を生成する第１の機能と、
前記画素群内の画素間で前記画像データの階調差が所定値以上の場合に、該画素群はエッジを含むと判断する第２の機能と、
前記エッジを含まないと判断された画素群について、該画素群内に形成されるドットの個数を、前記画素群内の画像データに基づいて決定する第３の機能と、
前記エッジを含むと判断された画素群について、該画素群内の画素毎にドット形成の有無を該画素の画像データに基づいて判断することにより、各画素についてのドット形成有無を表すドットデータを生成する第４の機能と、
前記画素群を構成する画素間でのドットの形成され易さを示す序列が複数記憶されている中から、前記ドット個数が決定された画素群毎に１の序列を選択する第５の機能と、
前記ドット個数のデータと前記選択した序列とに基づいて、または、前記ドットデータに基づいて、前記画素群内でドットが形成される画素位置を該画素群毎に決定する第６の機能と、
前記決定した画素位置にドットを形成する第７の機能と
をコンピュータに実現させるためのプログラム。
【手続補正１０】
【補正対象書類名】明細書
【補正対象項目名】請求項１３
【補正方法】変更
【補正の内容】
【請求項１３】  請求項１２記載のプログラムであって、
前記ドット個数のデータと前記ドットデータとを前記画素群の並びに従って配列するとともに、該ドットデータと該データに先立つデータとの間に、該画素群を構成する画素数より大きな値のデータを挿入した状態で、前記第５の機能に供給する第８の機能と、
前記第５の機能において、前記ドット個数のデータが前記画素群を構成する画素数よりも大きい場合には、該データはドット個数ではなく、続くデータが前記ドットデータであることを示していると解釈する第９の機能と
を更にコンピュータに実現させるためのプログラム。
【手続補正１１】
【補正対象書類名】明細書
【補正対象項目名】請求項１４
【補正方法】変更
【補正の内容】
【請求項１４】  所定の画像処理が施された画像データを受け取って、該画像データに基づいてドットを形成することにより画像を表示するためのプログラムであって、
前記画像データを構成する複数の画素を複数個ずつまとめた各画素群について、該画素群内に形成すべきドットの個数のデータまたは、該画素群内の画素毎にドット形成の有無を表したドットデータを、前記画像データとして受け取る機能（Ａ）と、
前記画素群を構成する画素間でのドットの形成され易さを示す序列が複数記憶されている中から、前記ドット個数のデータを受け取った画素群毎に１の序列を選択する機能（Ｂ）と、
前記ドット個数のデータと前記選択した序列とに基づいて、または、前記ドットデータに基づいて、前記画素群内でドットが形成される画素位置を該画素群毎に決定する機能（Ｃ）と、
前記決定した画素位置にドットを形成する機能（Ｄ）と
をコンピュータに実現させるためのプログラム。
【手続補正１２】
【補正対象書類名】明細書
【補正対象項目名】請求項１５
【補正方法】変更
【補正の内容】
【請求項１５】  ドットを形成して画像を表示する画像表示装置が該ドットの形成を制御するために用いる制御データを、該画像を表す画像データに所定の画像処理を施して生成するためのプログラムであって、
前記画像データを構成する複数の画素を、複数個ずつまとめて画素群を生成する機能（イ）と、
前記画素群内の画素間で前記画像データの階調差が所定値以上の場合に、該画素群はエッジを含むと判断する機能（ロ）と、
前記エッジを含まないと判断された画素群について、該画素群内に形成されるドットの個数を、前記画素群内の画像データに基づいて決定する機能（ハ）と、
前記エッジを含むと判断された画素群について、該画素群内の画素毎にドット形成の有無を該画素の画像データに基づいて判断することにより、各画素についてのドット形成有無を表すドットデータを生成する機能（ニ）と、
前記エッジを含まないと判断された画素群についての前記ドット個数のデータと、前記エッジを含むと判断された画素群についての前記ドットデータとを、前記制御データとして前記画像表示装置に出力する機能（ホ）と
をコンピュータに実現させるためのプログラム。
【手続補正１３】
【補正対象書類名】明細書
【補正対象項目名】０００８
【補正方法】変更
【補正の内容】
【０００８】
【課題を解決するための手段およびその作用・効果】
上述した課題の少なくとも一部を解決するために、本発明の画像表示システムは、次の構成を採用した。すなわち、
画像データに所定の画像処理を施す画像処理装置と、該画像処理の結果に基づいてドットを形成することにより画像を表示する画像表示装置と、を備える画像表示システムであって、
前記画像処理装置は、
前記画像データを構成する複数の画素を、複数個ずつまとめて画素群を生成する画素群生成手段と、
前記画素群内の画素間で前記画像データの階調差が所定値以上の場合に、該画素群はエッジを含むと判断するエッジ有無判断手段と、
前記エッジを含まないと判断された画素群について、該画素群内に形成されるドットの個数を、前記画素群内の画像データに基づいて決定するドット個数決定手段と、
前記エッジを含むと判断された画素群について、該画素群内の画素毎にドット形成の有無を該画素の画像データに基づいて判断することにより、各画素についてのドット形成有無を表すドットデータを生成するドットデータ生成手段と、
前記エッジを含まないと判断された画素群についての前記ドット個数のデータと、前記エッジを含むと判断された画素群についての前記ドットデータとを、前記画像表示装置に出力する個数データ出力手段と
を備えており、
前記画像表示装置は、
前記画素群を構成する画素間でのドットの形成され易さを示す序列を複数記憶している序列記憶手段と、
前記ドット個数のデータと前記ドットデータとを受け取る個数データ受取手段と、
前記記憶されている複数の序列の中から、前記ドット個数のデータを受け取った画素群毎に１の序列を選択する序列選択手段と、
前記ドット個数のデータと前記選択した序列とに基づいて、または、前記ドットデータに基づいて、前記画素群内でドットが形成される画素位置を該画素群毎に決定する画素位置決定手段と
前記決定した画素位置にドットを形成するドット形成手段と
を備えることを要旨とする。
【手続補正１４】
【補正対象書類名】明細書
【補正対象項目名】０００９
【補正方法】変更
【補正の内容】
【０００９】
また、上記の画像表示システムに対応する本発明の画像表示制御方法は、
画像データに所定の画像処理を施して、得られた結果に基づきドットを形成することによって、画像を表示する画像表示制御方法であって、
前記画像を構成する複数の画素を、複数個ずつまとめて画素群を生成する第１の工程と、
前記画素群内の画素間で前記画像データの階調差が所定値以上の場合に、該画素群はエッジを含むと判断する第２の工程と、
前記エッジを含まないと判断された画素群について、該画素群内に形成されるドットの個数を、前記画素群内の画像データに基づいて決定する第３の工程と、
前記エッジを含むと判断された画素群について、該画素群内の画素毎にドット形成の有無を該画素の画像データに基づいて判断することにより、各画素についてのドット形成有無を表すドットデータを生成する第４の工程と、
前記画素群を構成する画素間でのドットの形成され易さを示す序列が複数記憶されている中から、前記ドット個数が決定された画素群毎に１の序列を選択する第５の工程と、
前記ドット個数のデータと前記選択した序列とに基づいて、または、前記ドットデータに基づいて、前記画素群内でドットが形成される画素位置を該画素群毎に決定する第６の工程と、
前記決定した画素位置にドットを形成する第７の工程と
を備えることを要旨とする。
【手続補正１５】
【補正対象書類名】明細書
【補正対象項目名】００１８
【補正方法】変更
【補正の内容】
【００１８】
また、従来技術の有する前述した課題の少なくとも一部を解決するために、本発明の画像表示装置は次の構成を採用した。すなわち、
所定の画像処理が施された画像データを受け取って、該画像データに基づいてドットを形成することにより画像を表示する画像表示装置であって、
前記画像データを構成する複数の画素を複数個ずつまとめた各画素群について、該画素群内に形成すべきドットの個数のデータ、または該画素群内の画素毎にドット形成の有無を表したドットデータを、前記画像データとして受け取る画像データ受取手段と、
前記画素群を構成する画素間でのドットの形成され易さを示す序列を複数記憶している序列記憶手段と、
前記記憶されている複数の序列の中から、前記ドット個数のデータを受け取った画素群毎に１の序列を選択する序列選択手段と、
前記ドット個数のデータと前記選択した序列とに基づいて、または、前記ドットデータに基づいて、前記画素群内でドットが形成される画素位置を該画素群毎に決定する画素位置決定手段と
前記決定した画素位置にドットを形成するドット形成手段と
を備えることを要旨とする。
【手続補正１６】
【補正対象書類名】明細書
【補正対象項目名】００１９
【補正方法】変更
【補正の内容】
【００１９】
更に、上記の画像表示装置に対応する本発明の画像表示方法は、
所定の画像処理が施された画像データを受け取って、該画像データに基づいてドットを形成することにより画像を表示する画像表示方法であって、
前記画像データを構成する複数の画素を複数個ずつまとめた各画素群について、該画素群内に形成すべきドットの個数のデータ、または、該画素群内の画素毎にドット形成の有無を表したドットデータを、前記画像データとして受け取る工程（Ａ）と、
記画素群を構成する画素間でのドットの形成され易さを示す序列が複数記憶されている中から、前記ドット個数のデータを受け取った画素群毎に１の序列を選択する工程（Ｂ）と、
前記ドット個数のデータと前記選択した序列とに基づいて、または、前記ドットデータに基づいて、前記画素群内でドットが形成される画素位置を該画素群毎に決定する工程（Ｃ）と、
前記決定した画素位置にドットを形成する工程（Ｄ）と
を備えることを要旨とする。
【手続補正１７】
【補正対象書類名】明細書
【補正対象項目名】００２３
【補正方法】変更
【補正の内容】
【００２３】
更に、従来技術が有する前述した課題の少なくとも一部を解決するために、本発明の画像処理装置は、次の構成を採用した。すなわち、
ドットを形成して画像を表示する画像表示装置が該ドットの形成を制御するために用いる制御データを、該画像を表す画像データに所定の画像処理を施して生成する画像処理装置であって、
前記画像データを構成する複数の画素を、複数個ずつまとめて画素群を生成する画素群生成手段と、
前記画素群内の画素間で前記画像データの階調差が所定値以上の場合に、該画素群はエッジを含むと判断するエッジ有無判断手段と、
前記エッジを含まないと判断された画素群について、該画素群内に形成されるドットの個数を、前記画素群内の画像データに基づいて決定するドット個数決定手段と、
前記エッジを含むと判断された画素群について、該画素群内の画素毎にドット形成の有無を該画素の画像データに基づいて判断することにより、各画素についてのドット形成有無を表すドットデータを生成するドットデータ生成手段と、
前記エッジを含まないと判断された画素群についての前記ドット個数のデータと、前記エッジを含むと判断された画素群についての前記ドットデータとを、前記制御データとして前記画像表示装置に出力する制御データ出力手段と
を備えることを要旨とする。
【手続補正１８】
【補正対象書類名】明細書
【補正対象項目名】００２４
【補正方法】変更
【補正の内容】
【００２４】
また、上述した画像処理装置に対応する本発明の画像処理方法は、
ドットを形成して画像を表示する画像表示装置が該ドットの形成を制御するために用いる制御データを、該画像を表す画像データに所定の画像処理を施して生成する画像処理方法であって、
前記画像データを構成する複数の画素を、複数個ずつまとめて画素群を生成する工程（イ）と、
前記画素群内の画素間で前記画像データの階調差が所定値以上の場合に、該画素群はエッジを含むと判断する工程（ロ）と、
前記エッジを含まないと判断された画素群について、該画素群内に形成されるドットの個数を、前記画素群内の画像データに基づいて決定する工程（ハ）と、
前記エッジを含むと判断された画素群について、該画素群内の画素毎にドット形成の有無を該画素の画像データに基づいて判断することにより、各画素についてのドット形成有無を表すドットデータを生成する工程（ニ）と、
前記エッジを含まないと判断された画素群についての前記ドット個数のデータと、前記エッジを含むと判断された画素群についての前記ドットデータとを、前記制御データとして前記画像表示装置に出力する工程（ホ）と
を備えることを要旨とする。
【手続補正１９】
【補正対象書類名】明細書
【補正対象項目名】００２８
【補正方法】変更
【補正の内容】
【００２８】
更に本発明は、上述した画像表示制御方法、画像表示方法あるいは画像処理方法を実現するためのプログラムをコンピュータに読み込ませ、コンピュータを用いて実現することも可能である。従って、本発明は次のようなプログラム、あるいは該プログラムを記録した記録媒体としての態様も含んでいる。すなわち、上述した画像表示制御方法に対応する本発明のプログラムは、
画像データに所定の画像処理を施して、得られた結果に基づきドットを形成することによって、画像の表示を制御するためのプログラムであって、
前記画像データを構成する複数の画素を、複数個ずつまとめて画素群を生成する第１の機能と、
前記画素群内の画素間で前記画像データの階調差が所定値以上の場合に、該画素群はエッジを含むと判断する第２の機能と、
前記エッジを含まないと判断された画素群について、該画素群内に形成されるドットの個数を、前記画素群内の画像データに基づいて決定する第３の機能と、
前記エッジを含むと判断された画素群について、該画素群内の画素毎にドット形成の有無を該画素の画像データに基づいて判断することにより、各画素についてのドット形成有無を表すドットデータを生成する第４の機能と、
前記画素群を構成する画素間でのドットの形成され易さを示す序列が複数記憶されている中から、前記ドット個数が決定された画素群毎に１の序列を選択する第５の機能と、
前記ドット個数のデータと前記選択した序列とに基づいて、または、前記ドットデータに基づいて、前記画素群内でドットが形成される画素位置を該画素群毎に決定する第６の機能と、
前記決定した画素位置にドットを形成する第７の機能と
をコンピュータに実現させることを要旨とする。
【手続補正２０】
【補正対象書類名】明細書
【補正対象項目名】００３０
【補正方法】変更
【補正の内容】
【００３０】
また、上述した画像表示方法に対応する本発明のプログラムは、
所定の画像処理が施された画像データを受け取って、該画像データに基づいてドットを形成することにより画像を表示するためのプログラムであって、
前記画像データを構成する複数の画素を複数個ずつまとめた各画素群について、該画素群内に形成すべきドットの個数のデータまたは、該画素群内の画素毎にドット形成の有無を表したドットデータを、前記画像データとして受け取る機能（Ａ）と、
前記画素群を構成する画素間でのドットの形成され易さを示す序列が複数記憶されている中から、前記ドット個数のデータを受け取った画素群毎に１の序列を選択する機能（Ｂ）と、
前記ドット個数のデータと前記選択した序列とに基づいて、または、前記ドットデータに基づいて、前記画素群内でドットが形成される画素位置を該画素群毎に決定する機能（Ｃ）と、
前記決定した画素位置にドットを形成する機能（Ｄ）と
をコンピュータに実現させることを要旨とする。
【手続補正２１】
【補正対象書類名】明細書
【補正対象項目名】００３１
【補正方法】変更
【補正の内容】
【００３１】
更に、上述した画像処理方法に対応する本発明のプログラムは、
ドットを形成して画像を表示する画像表示装置が該ドットの形成を制御するために用いる制御データを、該画像を表す画像データに所定の画像処理を施して生成するためのプログラムであって、
前記画像データを構成する複数の画素を、複数個ずつまとめて画素群を生成する機能（イ）と、
前記画素群内の画素間で前記画像データの階調差が所定値以上の場合に、該画素群はエッジを含むと判断する機能（ロ）と、
前記エッジを含まないと判断された画素群について、該画素群内に形成されるドットの個数を、前記画素群内の画像データに基づいて決定する機能（ハ）と、
前記エッジを含むと判断された画素群について、該画素群内の画素毎にドット形成の有無を該画素の画像データに基づいて判断することにより、各画素についてのドット形成有無を表すドットデータを生成する機能（ニ）と、
前記エッジを含まないと判断された画素群についての前記ドット個数のデータと、前記エッジを含むと判断された画素群についての前記ドットデータとを、前記制御データとして前記画像表示装置に出力する機能（ホ）と
をコンピュータに実現させることを要旨とする。